(57)【要約】【課題】本考案は、使用者の頭、首、肩、背、及び腰部の後ろに第一サポートユニット、第二サポートユニットを当ててサポートすることにより脊椎矯正を行い、並びに、第一サポートユニット、第二サポートユニットの間隔を自分で調節して、異なる使用者の需要に応じさせることができる脊椎矯正器を提供する。【解決手段】一方側に延伸させた連結部と一方面中央箇所に形成された凹溝とを備えた第一サポートユニットを含み、該第一サポートユニット端縁の連結部に近い箇所は、両側それぞれに凹部を設けた傾斜部であり、且つ、第一サポートユニットの別の一端は、両側それぞれに隆起部を設けたへこみ部であり、また、一方側に連結対応部が連結部と可動結合する第二サポートユニットを備え、該第二サポートユニットの一方面中央箇所には、凹溝と連なり合い且つ両側のそれぞれに曲弧部を備えた長溝を設け、また、連結対応部から離れた一端には斜面部を備える。【選択図】図１
0003140617.tif 000002
【実用新案登録請求の範囲】
【請求項１】
第一サポートユニットと第二サポートユニットとを含む脊椎矯正器において、
該第一サポートユニットは、その一方側には一つの連結部を延伸させ、第一サポートユニットの一方面の中央箇所には一つの凹溝を設け、且つ、該第一サポートユニット端縁の連結部近くには一つの傾斜部を設け、該傾斜部の両側にはそれぞれ一つの凹部を設け、また、該第一サポートユニットの他方側には一つのへこみ部を設け、該へこみ部両側にはそれぞれ一つの隆起部を設け、
該第二サポートユニットは、その端縁には連結部と可動結合する一つの連結対応部を設け、該連結対応部の一方面の中央箇所には一つの長溝を設け、該長溝は、第一サポートユニットの凹溝と連なり合い且つ両側にはそれぞれ一つの曲弧部を設け、並びに、該第二サポートユニット端縁の前記連結対応部から離れた一方側端には斜面部を設けることを特徴とする脊椎矯正器。
【請求項２】
前記第一サポートユニットの前記連結部の両側は案内レールを備えたスライド体とし、前記第二サポートユニットの前記連結対応部は一つのスライド溝とし、且つ、該スライド溝の両側にはそれぞれ前記案内レールと対応して嵌合する一つの案内溝を設けることを特徴とする請求項１記載の脊椎矯正器。
【請求項３】
前記第一サポートユニットと第二サポートユニットの一方面上には多数の凸点を一部に設けることを特徴とする請求項１記載の脊椎矯正器。
【考案の詳細な説明】
【技術分野】
【０００１】
本考案は、一種の脊椎矯正器に関するものであり、特に、使用者の頭、首、肩、背、及び腰部の後ろに第一サポートユニット及び第二サポートユニットを当ててサポートすることにより脊椎矯正を行い、並びに、第一サポートユニット及び第二サポートユニットの間隔を自分で調節して、異なる使用者の需要に応じさせることができる。
【背景技術】
【０００２】
現代人は仕事の為に長時間オフィス内で座ることが多く、姿勢が正確でなかったり曲がって座っている場合には、長時間後に脊椎の変化を招いたり、腰や背の痛み、坐骨神経や退化性関節炎等の状況が発生し易い。また、脊椎が曲がったり不正常な状況が日常生活に影響し始めた場合には、医者に治療を求め手術や中国式推拿マッサージの方法で矯正しなければならない。
【考案の開示】
【考案が解決しようとする課題】
【０００３】
しかし、脊椎が関連している神経は多く複雑であり、手術によって解決しようとして万一失敗した場合には、別の部位の機能に影響を与え不随になり易い。また、中国式推拿マッサージ方式は副作用が少ないが、徐々に進めていくマッサージ方式であるため所要時間が長く、且つ、医療機関全てが専門の推拿マッサージ治療員を備えているとは限らないため、往々にして患者が定期治療を受けられず、治療成果の不良を招く。そこで、本案の考案者は、特別に熱心に研究を進め、患者が自ら治療を施すことができる脊椎矯正器を設計し、これにより公知の種々欠点を改善する。
【課題を解決するための手段】
【０００４】
よって、本考案の主な目的は、使用者が該第一サポートユニット及び第二サポートユニット上に横になり、その頭、首、肩、背、及び腰部の後ろに当ててサポートすることにより、脊椎矯正の効果を達成し、並びに、自分で第一サポートユニット及び第二サポートユニットの間隔を調節して、異なる使用者の需要に応じることができる脊椎矯正器を提供することにある。
【０００５】
上述の目的を達成する為、本考案の一種の脊椎矯正器は、その一端縁に連結部を延伸させた第一サポートユニットを含み、該第一サポートユニットの一方面の中央箇所には一つの凹溝を設け、且つ、該第一サポートユニット端縁の連結部近くには一つの傾斜部を設け、該傾斜部の両側にはそれぞれ一つの凹部を設け、また、該第一サポートユニットの他方側には一つのへこみ部を設け、該へこみ部両側にはそれぞれ一つの隆起部を設ける。また、端縁に連結部と可動結合する連結対応部を備えた第二サポートユニットを設け、該第二サポートユニットの一方面の中央箇所には一つの長溝を設け、該長溝は、第一サポートユニットの凹溝と連なり合い且つ両側にはそれぞれ一つの曲弧部を設け、並びに、該第二サポートユニット端縁の連結対応部から離れた一方側端には斜面部を設ける。
【考案の効果】
【０００６】
本考案の脊椎矯正器は特に、使用者の頭、首、肩、背、及び腰部の後ろに第一サポートユニット、第二サポートユニットを当ててサポートすることにより脊椎矯正を行い、並びに、第一サポートユニット、第二サポートユニットの間隔を自分で調節して、異なる使用者の需要に応じさせることができることを特徴とする。
【考案を実施するための最良の形態】
【０００７】
参照とする図１、図２、図３に示したものはそれぞれ、本考案の立体分解図、本考案の立体外観図、及び本考案の上面状態図である。図に示すとおり、本考案の一種の脊椎矯正器は最低、一つの第一サポートユニット１、及び一つの第二サポートユニット２により構成される。
【０００８】
前述した第一サポートユニット１は、その一端縁に一つの連結部１１を延伸させ、該連結部１１の両側に案内レール１１１のスライド体を設け、且つ、該第一サポートユニット１の一方面の中央箇所には一つの凹溝１２を設け、且つ、該第一サポートユニット１の一方側における連結部１１の位置の近くには一つの傾斜部１３を設け、該傾斜部１３の両側にはそれぞれ一つの凹部１４を設け、また、該第一サポートユニット１の別の一端には、一つのへこみ部１５を設け、該へこみ部１５の両側にはそれぞれ一つの隆起部１６を設け、また該第一サポートユニット１の一方面上の一部には多数の凸点１７を設ける。
【０００９】
該第二サポートユニット２は、その端縁には連結部１１と可動結合する一つの連結対応部２１を設け、該連結対応部２１は一つのスライド溝であり、且つ、該スライド溝の両側にはそれぞれ前述の案内レール１１１に対応して嵌合する案内溝２１１を設け、該第二サポートユニット２の一方面の中央箇所には一つの長溝２２を設け、該長溝２２は、第一サポートユニット１の凹溝１２と連なり合い且つ両側にはそれぞれ一つの曲弧部２３を備え、並びに、該第二サポートユニット２の端縁の連結対応部２１から離れた一端には斜面部２４を設け、また該第二サポートユニット２の一方面上には多数の凸点２５を部分的に設け、このようにして、前述構造は一つの全く新しい脊椎矯正器を構成する。
【００１０】
参照する図４、図５、図６に示したのはそれぞれ、本考案の使用状態側面図、本考案の調節状態図、及び本考案の調節状態側面図である。図に示すとおり、本考案を操作する場合は、該第一サポートユニット１の連結部１１を第二サポートユニット２の連結対応部２１中に挿入し、並びに、必要な平面上に置いた後、使用者は該第一サポートユニット１及び第二サポートユニット２上に横になり、使用者の身長に基づいて連結部１１と連結対応部２１上の案内レール１１１と案内溝２１１によって第一サポートユニット１、第二サポートユニット２の間隔を調節し（事前に間隔調節した後に第一サポートユニット１、第二サポートユニット２上に横になることも可能）、第一サポートユニット１のへこみ部１５を使用者の頭、首部分の後ろに当てて接触させ、肩部は隆起部１６下方の凹部１４上に位置させ、背部と腰部とは、第一サポートユニット１の傾斜部１３と第二サポートユニット２の曲弧部２３、及び斜面部２４とが後ろに当たりサポートされ、使用者の脊椎は連なる凹溝１２と長溝２２との上に位置しており、これにより即刻、脊椎矯正の効果を達成、使用者が第一サポートユニット１及び第二サポートユニット２上に横たわった場合、その一方面上の各凸点１７、２５がマッサージ効果を達成し、本考案は更に使用時の必要に応じることができる。
【００１１】
前述したとおり、本考案の脊椎矯正器は、効果的に公知の種々の欠点を改善し、使用者が該第一サポートユニットと第二サポートユニットとの上に横たわり、その頭、首、肩、背、及び腰部の後ろに当ててサポートすることにより、脊椎矯正の効果を達成、並びに、必要に応じて自分で第一サポートユニットと第二サポートユニットとの間隔を調節し、異なる使用者の需要に合わせられ、また本考案はより進歩的、より実用的で、より使用者の希望に沿うことができ、確実に実用新案登録請求の条件に符合することが明らかであるため、ここに法に基づき実用新案を申請する。
【図面の簡単な説明】
【００１２】
【図１】本考案の立体分解図である。
【図２】本考案の立体外観図である。
【図３】本考案の平面図である。
【図４】本考案の使用状態を示す側面図である。
【図５】本考案の調節状態を示す側面図である。
【図６】本考案の調節状態を示す平面図である。
【符号の説明】
【００１３】
１      第一サポートユニット
１１    連結部
１１１  案内レール
１２    凹溝
１３    傾斜部
１４    凹部
１５    へこみ部
１６    隆起部
１７    凸点
２      第二サポートユニット
２１    連結対応部
２１１  案内溝
２２    長溝
２３    曲弧部
２４    斜面部
２５    凸点
【図１】
0003140617.tif 000003
【図２】
0003140617.tif 000004
【図３】
0003140617.tif 000005
【図４】
0003140617.tif 000006
【図５】
0003140617.tif 000007
【図６】
0003140617.tif 000008